(57)【要約】【課題】発電効率を考慮して効率的に取り付けることができる太陽光電池セルを有するパネルユニット及びパネルユニットの設置方法を提供する。【解決手段】パネルユニット１０は、第１辺、第２辺、第３辺及び第４辺を有し、複数の太陽光電池セル２３を第１辺及び第２辺の長手方向に対して傾けて並べた複数のパネル部を備える。取付部材の第１辺及び第２辺は、支柱Ｃ１に取付可能な第１距離で相互に対向し、第３辺及び第４辺は、支柱Ｃ１に取付可能な第２距離で相互に対向する。パネルユニット１０は、パネルユニット１０の設置場所に応じて、一定間隔で配置された複数の支柱Ｃ１に対して、取付部材の第１辺を垂直方向とする第１取付方向、及び第１取付方向を９０度回転させた第１辺を水平方向とする第２取付方向のいずれかの取付方向に取り付ける。【選択図】図１
2020107664.tif 000002
【特許請求の範囲】
【請求項１】
第１辺、第２辺、第３辺及び第４辺を有し、第１支柱及び第２支柱の間に配置されるパネルユニットであって、
複数の太陽光電池セルを、前記第１辺及び前記第２辺の長手方向に対して傾けて並べた複数のパネル部を備え、
前記第１辺及び前記第２辺は、前記第１支柱及び前記第２支柱に取付可能な第１距離で相互に対向し、前記第３辺及び前記第４辺は、前記第１支柱及び前記第２支柱に取付可能な第２距離で相互に対向することを特徴とするパネルユニット。
【請求項２】
請求項１に記載のパネルユニットにおいて、
前記複数の太陽光電池セルを連動させて、前記太陽光電池セルの傾きを変更する設定調整部を更に備えたことを特徴とするパネルユニット。
【請求項３】
請求項１又は２に記載のパネルユニットにおいて、
前記太陽光電池セルが受光する日射面と反対側の面に、遮音シートを配置したことを特徴とするパネルユニット。
【請求項４】
請求項１〜３の何れか１項に記載のパネルユニットの設置方法であって、
前記パネルユニットの設置場所に応じて、一定間隔で配置された複数の支柱に対して、前記第１辺を垂直方向とする第１取付方向、及び前記第１取付方向を９０度回転させた前記第１辺を水平方向とする第２取付方向のいずれかの取付方向に取り付けることを特徴とするパネルユニットの設置方法。
【発明の詳細な説明】
【技術分野】
【０００１】
本発明は、高速道路の壁等のように、帯形状の構造物に配置される太陽光電池セルを備えたパネルユニット及びパネルユニットの設置方法に関する。
【背景技術】
【０００２】
従来、高速道路の両脇には、遮音や防音を行なう壁が配置されることがある。更に、この壁に太陽光電池パネルを取り付けて、太陽光エネルギーを活用する技術もある（例えば、特許文献１参照。）。この文献においては、遮音壁を構成する湾曲部の面内に、その高さ方向に対してＮ段にわたり太陽電池パネルを複数設置し、これらを接続して集電する。
【先行技術文献】
【特許文献】
【０００３】
【特許文献１】特開平９−５３２１１号公報
【発明の概要】
【発明が解決しようとする課題】
【０００４】
しかしながら、太陽光電池セルのパネルを壁やその湾曲部に設けた場合には、そのパネルの受光面は、ほぼ鉛直面となり、発電効率が悪く、発電量が少なかった。
更に、既設構造物にパネルを取り付ける場合には、構造物の利用を妨げないように取付作業を行なう必要がある。例えば、高速道路の場合には、取付時に高速道路を閉鎖するため、取付作業を短時間で終わらせる必要がある。
【課題を解決するための手段】
【０００５】
上記課題を解決するパネルユニットは、第１辺、第２辺、第３辺及び第４辺を有し、第１支柱及び第２支柱の間に配置されるパネルユニットであって、複数の太陽光電池セルを、前記第１辺及び前記第２辺の長手方向に対して傾けて並べた複数のパネル部を備え、前記第１辺及び前記第２辺は、前記第１支柱及び前記第２支柱に取付可能な第１距離で相互に対向し、前記第３辺及び前記第４辺は、前記第１支柱及び前記第２支柱に取付可能な第２距離で相互に対向する。
【０００６】
上記課題を解決するパネルユニットの設置方法は、上述した構成のパネルユニットの設置方法であって、前記パネルユニットの設置場所に応じて、一定間隔で配置された複数の支柱に対して、前記第１辺を垂直方向とする第１取付方向、及び前記第１取付方向を９０度回転させた前記第１辺を水平方向とする第２取付方向のいずれかの取付方向に取り付ける。
【発明の効果】
【０００７】
本発明によれば、発電効率を考慮して太陽光電池セルを有するパネルユニットを効率的に取り付けることができる。
【図面の簡単な説明】
【０００８】
【図１】実施形態において高速道路に設置されたパネルユニットの説明図であって、（ａ）はパネルユニットが設置された状態、（ｂ）は支柱が設置された状態を示す。
【図２】実施形態におけるパネルユニットの説明図であって、（ａ）は第１取付方向のパネルユニット、（ｂ）は（ａ）を９０度回転した第２取付方向のパネルユニット。
【図３】実施形態におけるパネルユニットに含まれるパネル部の説明図であって、（ａ）は正面図、（ｂ）は側面図、（ｃ）は太陽光電池セルの端部の拡大図、（ｄ）は設定調整部の要部の拡大図。
【図４】実施形態におけるパネルユニットの取付時の上面図。
【図５】変更例において遮音シートを設けたパネルユニットの説明図であって、（ａ）は第１変更例の側面図、（ｂ）は第１変更例の上面図、（ｃ）は第２変更例の上面図、（ｄ）は第３変更例の上面図、（ｅ）は第４変更例の上面図。
【発明を実施するための形態】
【０００９】
以下、図１〜図４を用いて、パネルユニット及びパネルユニットの設置方法を具体化した一実施形態を説明する。
図１（ａ）に示すように、本実施形態のパネルユニット１０は、高速道路Ｗ１の両脇に並べて設置される。このパネルユニット１０は、図１（ｂ）に示すように、高速道路Ｗ１の両脇に所定間隔で配置された複数の支柱Ｃ１の間に配置されて取り付けられる。このパネルユニット１０は、正方形形状（矩形形状）を有し、複数の太陽光電池セル２３を有する。パネルユニット１０は、配置される場所（設置場所）に応じて、太陽光電池セル２３が横長となる第１取付方向、又は９０度回転して太陽光電池セル２３が縦長となる第２取付方向で配置される。第１取付方向は、パネルユニット１０の後述する第１辺１０ａを垂直方向とする取付方向である。また、第２取付方向は、第１取付方向を９０度回転させた第１辺１０ａを水平方向（パネルユニット１０の後述する第３辺１０ｃを垂直方向）とする取付方向である。
【００１０】
図２（ａ）は、第１取付方向に配置したパネルユニット１０の正面図、図２（ｂ）は、第２取付方向に配置したパネルユニット１０の正面図である。
図２（ａ）及び（ｂ）に示すように、パネルユニット１０は、例えば１．８ｍ程度の正方形形状を有する。
【００１１】
パネルユニット１０は、４個のパネル部２０と、取付部材１５とを備える。パネルユニット１０は、パネル部２０を縦横２個ずつ並べて、パネル部２０の隣り合う後述するフレーム部２１の側面を固定することにより一体化される。取付部材１５は、四角枠形状を有し、一体化されたパネル部２０の外側に位置するフレーム部２１に取り付けられる。この取付部材１５は、互いに対向する第１辺１０ａ及び第２辺１０ｂと、互いに対向する第３辺１０ｃ及び第４辺１０ｄとを有する。第３辺１０ｃは、第１辺１０ａと直交する。本実施形態では、取付部材１５の第１辺１０ａ、第２辺１０ｂ、第３辺１０ｃ、第４辺１０ｄが、パネルユニット１０の第１辺、第２辺、第３辺及び第４辺にそれぞれ対応する。各辺（１０ａ，１０ｂ，１０ｃ，１０ｄ）には、複数の貫通孔１６が形成される。第１辺１０ａの貫通孔１６と、第２辺１０ｂの貫通孔１６との第１距離Ｌ１は、２つの支柱（離間した第１支柱及び第２支柱）に取付可能な第１距離である。更に、第３辺１０ｃの貫通孔１６と、第４辺１０ｄの貫通孔１６との第２距離Ｌ２は、第１距離Ｌ１と等しい。
【００１２】
図３（ａ）は、パネル部２０の正面図、図３（ｂ）は、パネル部２０の側面図、図３（ｃ）及び（ｄ）は、パネル部２０の要部の拡大斜視図である。
図３（ａ）に示すように、パネル部２０は、略四角枠形状のフレーム部２１、複数の太陽光電池セル２３及び２個の設定調整部２５を備える。設定調整部２５は、一列に並んだ太陽光電池セル２３の両側部にそれぞれ配置される。
【００１３】
フレーム部２１は、ほぼ正方形形状であって、上面部２１ａ、下面部２１ｂ及び２個の側面部２１ｃを有する。
複数の太陽光電池セル２３は、設定可能な最大傾斜角度で傾斜した場合でも、上下に重ならない間隔で配置される。この太陽光電池セル２３は、太陽光を受光するセルを片面に配置した部材（モジュール）である。本実施形態では、セルの受光面が上面となるように配置される。
【００１４】
図３（ａ）〜（ｃ）に示すように、各太陽光電池セル２３は、略長方形板形状を有する。太陽光電池セル２３の長手方向の両端部の中央には、支持軸２４が固定されている。この支持軸２４は、フレーム部２１の側面部２１ｃに、回転可能に支持される。本実施形態の太陽光電池セル２３は、第１辺１０ａ及び第２辺１０ｂの延在方向（長手方向）に対して傾くように回転可能に支持される。
更に、太陽光電池セル２３の短手方向の長さＬ３は、パネルユニット１０を設置した場合に、高速道路Ｗ１の建築限界を超えない範囲に設けられる。
【００１５】
図３（ｃ）〜（ｄ）に示すように、設定調整部２５は、さや管２６、角度調整棒２７、複数の角度調整軸２８及び固定部材としての固定冶具２９を備える。
【００１６】
円筒形状のさや管２６は、フレーム部２１の下面部２１ｂの上に固定される。さや管２６の上部には、直径を通る線状に並んだ１対の係合孔２６ａが形成される。さや管２６の内部には、角度調整棒２７の下部が嵌合されて配置される。角度調整棒２７は、太陽光電池セル２３の配列方向に対して変位可能な調整部材である。角度調整棒２７の下部には、複数対の調整孔２７ｈが軸方向に並んで形成される。対となる調整孔２７ｈは、直径を通る線状に並ぶ。各調整孔２７ｈは、さや管２６の係合孔２６ａと整合する。係合孔２６ａが整合する調整孔２７ｈを変更することにより、太陽光電池セル２３及びさや管２６に対する角度調整棒２７の位置（高さ）を変更できる。そして、固定冶具２９を、さや管２６の係合孔２６ａ及び角度調整棒２７の調整孔２７ｈに貫通させることにより、角度調整棒２７の高さを固定する。
【００１７】
角度調整棒２７には、各太陽光電池セル２３に応じて、連結部材としての角度調整軸２８が設けられる。各角度調整軸２８は、太陽光電池セル２３の短手方向の一端部側に固定される。角度調整棒２７の高さを変更することにより、角度調整軸２８が固定された太陽光電池セル２３の端部の高さが変更されて、水平方向に対する太陽光電池セル２３の角度を変更することができる。本実施形態では、太陽光電池セル２３が、水平方向に対して上向き又は下向きに、例えば−４０度〜４０度で、約１０度ずつで傾斜を変更できるように、調整孔２７ｈが設けられる。
【００１８】
次に、図４を用いて、上述したパネルユニット１０の設置方法について説明する。
（設置作業の前処理）
まず、管理装置を用いて、各パネルユニット１０の設置向き及び太陽光電池セル２３の角度を定めた取付指示書を作成する。
【００１９】
管理装置は、入力部及び出力部を備えたコンピュータ端末である。入力部は、キーボードやポインティングデバイス等であり、出力部は、ディスプレイや印刷装置である。管理装置は、年間の積算日射強度最大値に対する方位・傾斜角度毎の割合（日射強度）を記憶している。この日射強度では、方位として、０度（真南）、４５度（南東、南西）、９０度（真東）、１３５度（北東、北西）、１８０度（真北）を用いる。また、傾斜角度は、０度（水平）、１０度、２０度、３０度、４０度を用いる。なお、真北の０度〜４０度は、真南の０度〜−４０度である。
【００２０】
管理装置は、入力部を介して、パネルユニット１０を設置する範囲の高速道路Ｗ１、その周辺の地図の情報やその周囲の建物高さ情報等の日射に対する障害物情報を取得する。管理装置は、この地図において、高速道路Ｗ１の両脇の位置であって、所定間隔毎に、パネルユニット１０の設置場所（設置位置の座標）を特定する。更に、管理装置は、特定した設置場所において各パネルユニット１０の配置面の方位を特定する。また、管理装置は、取得した障害物情報から、高速道路Ｗ１に隣接する建物Ｂ１による影の時間に応じた影形成情報を取得する。
【００２１】
そして、管理装置は、配置面の方位及び影形成情報と、記憶している日射強度とを用いて、各パネルユニット１０において発電効率が最も高くなる取付方向及び傾斜（０度〜４０度の範囲で１０度毎）を、パネルユニット１０毎に特定する。そして、管理装置は、各パネルユニット１０の設置場所と、そのパネルユニット１０の取付方向（第１取付方向又は第２取付方向）と、設定角度とを関連付けた取付指示データを生成する。管理装置は、取付指示データに基づいて取付指示書を印刷する。この取付指示書には、各パネルユニット１０毎に、設置場所、取付方向及び設定角度を記載した一覧表を含める。
【００２２】
例えば、配置面の方位が南（北）向きで、南側に建物がなく、この位置（緯度）において最大日射強度が３０度の場合には、この設置場所において、第１取付方向及び設定角度３０度を取付指示書に含める。
また、配置面の方位が南（北）向きであっても、南側に建物があり、パネルユニット１０に真東側からのみ太陽光が入射し、この緯度において最大日射強度が１０度の場合には、この設置場所において、第２取付方向及び設定角度１０度を取付指示書に含める。
更に、配置面の方位が東（西）向きであって、東西に建物Ｂ１等の障害物がない場合は、第１取付方向及び設置角度０度〜１０度を取付指示書に含める。
更に、配置面の方位が東（西）向きであっても、東西に建物Ｂ１等の障害物があり、日射がさえぎられる場合には、第２取付方向及び設定角度３０度を取付指示書に含める。
【００２３】
（設置作業）
パネルユニット１０の設置作業においては、作業員は、まず、複数の支柱Ｃ１を、間隔をおいて、高速道路Ｗ１の両脇に、順次、立設する。
【００２４】
図４に示すように、ここでは、支柱Ｃ１としてＨ形鋼を用いる。この支柱Ｃ１の片方のフランジには、ウェブを挟んでフランジの幅方向に、ネジ孔ｈ１が１個ずつ形成されている。このネジ孔ｈ１は、パネルユニット１０の貫通孔１６に対応する位置に設けられる。
【００２５】
そして、図１（ｂ）に示すように、この支柱Ｃ１を、パネルユニット１０を取り付ける間隔をおいて配置する。この場合、ネジ孔ｈ１が設けられたフランジが道路側となるように、支柱Ｃ１を配置する。
【００２６】
そして、道路側から、２個の支柱Ｃ１の間に、パネルユニット１０を配置する。この場合、作業員は、各パネルユニット１０の設置位置において、取り付けるパネルユニット１０を、取付指示書で指定された取付方向（第１取付方向又は第２取付方向）に配置する。そして、ボルト３０を、各支柱Ｃ１のネジ孔ｈ１と整合させた貫通孔１６に貫通させて、各支柱Ｃ１のネジ孔ｈ１に螺合させ、パネルユニット１０を２つの支柱Ｃ１に固定する。
【００２７】
次に、取付指示書の設定角度となる調整孔２７ｈを、さや管２６の係合孔２６ａと整合し、この調整孔２７ｈ及び係合孔２６ａに固定冶具２９を貫通させる。これにより、パネル部２０の各太陽光電池セル２３の傾きを一度に設定角度にすることができる。
【００２８】
本実施形態によれば、以下のような効果を得ることができる。
（１）本実施形態のパネルユニット１０において、互いに対向する第１辺１０ａと第２辺１０ｂの第１距離Ｌ１と、互いに対向する第３辺１０ｃと第４辺１０ｄとの第２距離Ｌ２とは、同じで、かつ２つの支柱Ｃ１に取り付け可能な距離である。これにより、第１辺１０ａが垂直となる第１取付方向及び第３辺１０ｃが垂直となる第２取付方向のうち、設置場所に応じた取付方向で、パネルユニット１０を取り付けることができる。従って、各設置場所において、発電効率が高い取付方向でパネルユニット１０を取り付けることができる。
【００２９】
（２）本実施形態のパネルユニット１０は、パネル部２０のすべての太陽光電池セル２３を連動させて、傾斜を設定する設定調整部２５を備える。これにより、パネルユニット１０を取り付けた後、太陽光電池セル２３を、それぞれの設置場所において、発電効率を考慮した傾斜角度に効率的に設定することができる。
【００３０】
（３）本実施形態では、長方形状の太陽光電池セル２３の短手方向の一端部側は、角度調整軸２８を介して角度調整棒２７が設けられる。これにより、角度調整棒２７の高さを調整して、太陽光電池セル２３の傾斜角度を効率的に設定することができる。
【００３１】
（４）本実施形態では、パネルユニット１０は、建築限界を超えない範囲の長さＬ３の複数の太陽光電池セル２３を有する。これにより、太陽光電池セルを垂直よりも傾けて発電効率を大きくしても、道路の建築限界を超えないようにすることができる。
（５）本実施形態では、パネルユニット１０は、複数のパネル部２０を有する。これにより、建築限界を超えない範囲の長さＬ３を有する太陽光電池セル２３の長手方向の長さを短くすることができる。更に、複数のパネル部２０を一体化したパネルユニット１０を、取り付けることができる。
【００３２】
（６）本実施形態では、管理装置は、パネルユニット１０の設置場所の配置面の方位及び影形成情報と日射強度とを用いて、発電効率が高くなる取付方向及び傾斜を特定する。そして、管理装置は、各パネルユニット１０の設置位置、取付方向及び設定角度を関連付けた取付指示データを含む取付指示書を出力する。これにより、取付指示書を用いて、発電効率が高くなる取付方向及び傾斜となるように、建物Ｂ１等の影の影響を考慮しつつ、パネルユニット１０を効率的に設置することができる。
【００３３】
（７）本実施形態では、道路側のフランジにネジ孔ｈ１を形成した支柱Ｃ１に、パネルユニット１０の取付部材１５の貫通孔１６を整合して、ボルト３０で取り付ける。これにより、パネルユニット１０を道路側から効率的に取り付けることができる。
【００３４】
本実施形態は、以下のように変更して実施することができる。本実施形態及び以下の変更例は、技術的に矛盾しない範囲で互いに組み合わせて実施することができる。
・上記実施形態において、パネルユニット１０は、設定調整部２５で一度に角度調整できる４個のパネル部２０を備える。パネルユニット１０が有するパネル部２０の数は、これに限られず、２個であってもよいし、縦横３個に並べた９個等であってもよい。この場合、パネル部は、縦横同じ個数に配置する場合に限られない。また、各パネル部２０において、太陽光電池セルの設定角度を異ならせてもよい。更に、上記実施形態では、各パネル部２０をそれぞれ分離できる構成としたが、隣り合うフレーム部２１を共通にして一体化した複数のパネル部としてもよい。
【００３５】
・上記実施形態において、第１辺が第２辺の長さが同じであるパネルユニット１０を用いた。パネルユニット１０は、第１辺及び第２辺の長さが同じである場合に限られず、例えば、２倍等、第１辺の長さが第２辺の長さの整数倍の矩形形状であればよい。この場合には、パネルユニット１０を第１取付方向、第１取付方向を９０度回転した第２取付方向のいずれかで取り付けることができる。更に、取り付けたパネルユニット１０を、既に取り付けられている隣のパネルユニット１０と、索部材等によって連結させてもよい。この場合には、強風等があっても、パネルユニット１０を脱落し難くすることができる。
【００３６】
・上記実施形態のパネルユニット１０の各パネル部２０は、太陽光電池セル２３の傾斜角度を設定する設定調整部２５を有する。これに代えて、パネルユニット１０において、設定調整部２５を省略してもよい。この場合、太陽光電池セル２３を、第１辺１０ａ、第２辺１０ｂ、第３辺１０ｃ、第４辺１０ｄの外周を含む取付面に対して、予め設定した傾斜角度（例えば、真南向きの３０度）でフレーム部２１に固定してもよい。
【００３７】
・上記実施形態のパネルユニット１０は、各パネルユニット１０において発電効率が最も高くなる取付方向及び傾斜で取り付けた。パネルユニット１０の取付方向及び傾斜は、発電効率が最も高くなる場合に限られず、太陽光の入射方向に応じた取付方向や角度に設定できればよい。例えば、取り付けたパネルユニット１０全体の発電量が変動の少なくなるように、各パネルユニット１０の取付方向及び傾斜を設定してもよい。この場合、管理装置は、隣接する建物による影の時間に応じた影形成情報や日射強度を用いて、発電量の変動が最小となるように各パネルユニット１０の取付方向及び傾斜を、設置位置に応じて特定する。
【００３８】
・上記実施形態のパネルユニット１０は、複数の太陽光電池セルを有する。パネルユニット１０に、更に、遮音シートを取り付けてもよい。この場合、太陽光電池セルが受光する日射面と反対側の面に遮音シートを設ける。これにより、発電効率を考慮して、高速道路からの騒音を低減することができる。
【００３９】
具体的には、図５（ａ）及び（ｂ）に示すように、道路の外側が日射面の場合には、太陽光電池セル２３の道路側の全面を覆うように、遮音シート３１を設ける。この遮音シート３１には、取付部材１５の貫通孔１６に対応する位置に貫通孔を設ける。そして、貫通孔１６及び遮音シート３１の貫通孔を整合させて、ボルト３５を貫通させて、支柱Ｃ１のネジ孔ｈ１に螺合させる。
【００４０】
また、図５（ｃ）に示すように、道路側が日射面の場合には、太陽光電池セル２３の道路の外側の全面を覆うように、遮音シート３２を設ける。この遮音シート３２には、取付部材１５の貫通孔１６に対応する位置に貫通孔を設ける。そして、貫通孔１６及び遮音シート３２の貫通孔を整合させて、ボルト３５を貫通させて、支柱Ｃ１のネジ孔ｈ１に螺合させる。
【００４１】
・上記実施形態のパネルユニット１０は、四角枠形状の取付部材１５を有する。パネルユニット１０の取付部材１５は、この形状に限られず、パネルユニット１０の対向する辺の第１距離Ｌ１及び第２距離Ｌ２が、少なくとも２つの支柱（第１支柱及び第２支柱）に取付可能な形状であればよい。例えば、取付部材は、角が丸い角丸四角形状であってもよいし、角を面取りした八角枠形状であってもよい。また、取付部材の各辺（１０ａ，１０ｂ，１０ｃ，１０ｄ）は、連結した形状に限られず、それぞれ分離した形状で構成してもよい。
更に、取付部材の各辺（１０ａ，１０ｂ，１０ｃ，１０ｄ）は、ユニット化したパネル部２０の外周となる長さでない部材で構成してもよい。例えば、支柱Ｃ１のネジ孔ｈ１を形成し固定可能な大きさの小型のプレート形状の取付部材で構成してもよい。この場合、各取付部材を、ネジ孔ｈ１に対応する部分にそれぞれ配置し、これら取付部材を用いて、パネルユニット１０を支柱Ｃ１に取り付ける。この場合、取付部材における支柱Ｃ１に取り付ける部分によって、パネルユニット１０の第１辺、第２辺、第３辺及び第４辺が構成される。
また、取付部材は、一部が簡単な構成であってもよい。例えば、パネルユニット１０の上側及び下側の取付部材（第３辺１０ｃ及び第４辺１０ｄ）を、第１距離に応じた長さを有する鋼材等の強固な部材でそれぞれ構成する。更に、側面側の取付部材（第１辺１０ａ及び第２辺１０ｂ）を、パネル部２０のフレーム部２１の角を覆う大きさの小型プレート等により構成する。この場合、左右方向に隣り合うパネル部２０の接続部を、上述した強固な部材で連結し、上下方向に隣り合うパネル部２０の接続部を小型プレートやボルト等で連結する。これにより、パネルユニット１０の上側及び下側を、パネルユニット１０の側面側やパネル部２０の上下方向の接続部よりも、支柱Ｃ１に強固に固定するようにしてもよい。
【００４２】
・上記実施形態では、第１距離Ｌ１及び第２距離Ｌ２を同じにした。第１距離Ｌ１と第２距離Ｌ２は、それぞれが支柱に取付可能な長さであれば、同じでなくてもよい。例えば、第２距離Ｌ２が、第１距離Ｌ１や２つの支柱の距離より短くてもよい。例えば、パネルユニットの第３辺と第４辺との間隔である第２距離Ｌ２が２つの支柱の距離より短い場合には、第３辺及び第４辺の構成部材と、それぞれを固定する各支柱とを連結可能な大きさの固定部材を用いて、パネルユニットを支柱に取り付ける。
・上記実施形態では、パネルユニット１０の第１辺、第２辺、第３辺及び第４辺を、取付部材１５の第１辺１０ａ、第２辺１０ｂ、第３辺１０ｃ、第４辺１０ｄで構成した。パネルユニットの各辺は、パネル部とは別体の取付部材で構成する場合に限られず、パネル部のフレーム部によって構成してもよい。具体的には、パネル部のフレーム部に貫通孔を形成し、この貫通孔にボルト等の固定部材を貫通させて支柱に固定してもよい。この場合、ユニット化したパネル部の外周に位置するフレーム部（上側のパネル部２０の上面部２１ａ、下側のパネル部２０の下面部２１ｂ、右側のパネル部２０の右の側面部２１ｃ及び左側のパネル部２０の左の側面部２１ｄ）が、パネルユニットの第１辺、第２辺、第３辺及び第４辺を構成する。
【００４３】
・上記実施形態のパネルユニット１０は、取付部材１５を用いて、２つの支柱Ｃ１に固定した。パネルユニット１０の固定は、この方法に限られない。例えば、図５（ｄ）及び（ｅ）に示すように、２つの支柱Ｃ１のフランジの間に挟み込むパネルユニット５０をボルト３５により押圧して固定してもよい。この場合、貫通孔を省略した取付部材を有したパネルユニットであってもよいし、取付部材１５を省略して、パネル部のフレーム部を取付部材として兼用するパネルユニットでもよい。これらの場合、パネルユニット５０を、２つの支柱Ｃ１の間に、上から挿入して配置し、ボルト３５により支柱Ｃ１のフランジに圧接して固定する。なお、ここでは、ボルト３５及び支柱Ｃ１に圧接するパネルユニットの部分（例えばフレーム部）が、パネルユニットの第１辺、第２辺、第３及び第４辺を構成する。この場合においても、複数の太陽光電池セルは、第１辺及び第２辺の長手方向（フレーム部の上面部及び下面部（又は２個の側面部）の長手方向）に対して傾けて並べられる。また、ここで、ボルト３５の代わりに、バネ等の弾性部材により、パネルユニット１０を支柱Ｃ１に圧接させてもよい。なお、図５（ｄ）及び（ｅ）の場合においても、ボルト３５は道路側から取り付け、遮音シート３１，３３は、日射面と反対側に設ける。
【００４４】
このパネルユニット５０の取付時には、２個の支柱Ｃ１の間で支柱Ｃ１のフランジの間の空間に、上から、パネルユニット５０を挿入する。そして、遮音シート３１，３３の貫通孔を貫通したボルト３５を支柱Ｃ１に取り付ける。この場合、ボルト３５で、パネルユニット５０を、支柱Ｃ１のフランジに押圧して、パネルユニット５０を固定する。
【００４５】
・上記実施形態の取付指示書には、各パネルユニット１０毎に、設置場所、取付方向及び設定角度を含めた。取付指示書には、各パネルユニット１０を取り付ける位置、方向及び傾斜角度が特定できる情報を含めばよい。例えば、設置場所の代わりに取付開始位置からの取付順番に関する情報を含めたり、設置角度の代わりに調整孔２７ｈの特定情報を含めてもよい。
【００４６】
・上記実施形態のパネルユニット１０は、複数の支柱Ｃ１を立設させた後、この支柱Ｃ１に取り付けた。既存の支柱Ｃ１がパネルユニット１０の第１距離Ｌ１及び第２距離Ｌ２に取付可能な間隔で設置されている場合には、新たに支柱Ｃ１を立設せずに、既存の支柱Ｃ１にパネルユニット１０を取り付けてもよい。
・上記実施形態のパネルユニット１０は、高速道路Ｗ１の両脇に配置した。パネルユニット１０は、高速道路Ｗ１の両脇に設置する場合に限られず、例えば、家を囲む塀として設置してもよい。
【００４７】
次に、上記実施形態及び別例から把握できる技術的思想について、それらの効果とともに以下に追記する。
（ａ）前記第１辺又は前記第３辺が垂直方向になるように立設して並べた場合に、前記太陽光電池セルの水平方向の長さが、設置する場所における建築限界を超えない範囲に収まる幅で構成されていることを特徴とする請求項１〜３の何れか１項に記載のパネルユニット。
従って、この（ａ）に記載の発明によれば、設置する場所における建築限界を考慮した大きさのパネルユニットを効率的に取り付けることができる。
【００４８】
（ｂ）前記太陽光電池セルは、矩形形状を有し、回動可能に支持され、
前記設定調整部は、
前記太陽光電池セルの短手方向の端部を上下させるために、前記太陽光電池セルの長手方向の端部にそれぞれ設けられた連結部材と、
複数の前記連結部材が連結され、前記太陽光電池セルの配列方向に対して変位可能な調整部材と、
前記太陽光電池セルに対する前記調整部材の位置を固定する固定部材とを備えることを特徴とする請求項１〜３の何れか１項又は（ａ）に記載のパネルユニット。
従って、この（ｂ）に記載の発明によれば、簡単な構成で、複数の太陽光電池セルの角度を、効率的に所定角度に設定することができる。
【００４９】
（ｃ）請求項１〜３の何れか１項、前記（ａ）又は前記（ｂ）に記載のパネルユニットの設置方法であって、
一定間隔で配置された複数の支柱の間に、前記取付部材の第１辺及びこの第１辺に対向する第２辺を垂直方向とする第１取付方向、及び前記第１辺と交差する第３辺及びこの第３辺に対向する第４辺を垂直方向とする第２取付方向のうち、前記パネルユニットの設置位置に応じて決定された取付方向で、前記パネルユニットを取り付けることを特徴とするパネルユニットの設置方法。
従って、この（ｃ）に記載の発明によれば、設置位置に応じて発電効率を考慮してパネルユニットを取り付けることができる。
【符号の説明】
【００５０】
Ｃ１…支柱、ｈ１…ネジ孔、Ｌ１…第１距離、Ｌ２…第２距離、Ｌ３…長さ、Ｗ１…高速道路、１０，５０…パネルユニット、１０ａ…第１辺、１０ｂ…第２辺、１０ｃ…第３辺、１０ｄ…第４辺、１５…取付部材、１６…貫通孔、２０…パネル部、２１…フレーム部、２１ａ…上面部、２１ｂ…下面部、２１ｃ…側面部、２３…太陽光電池セル、２４…支持軸、２５…設定調整部、２６…さや管、２６ａ…係合孔、２７…角度調整棒、２７ｈ…調整孔、２８…角度調整軸、２９…固定冶具、３０，３５…ボルト、３１，３２，３３…遮音シート。
【図１】
2020107664.tif 000003
【図２】
2020107664.tif 000004
【図３】
2020107664.tif 000005
【図４】
2020107664.tif 000006
【図５】
2020107664.tif 000007